(57)【要約】【課題】停電時や電装品の故障時でも収納庫を引き出すことができる現金管理装置の提供。【解決手段】現金を入出庫可能な現金管理装置であって、現金管理装置本体と、現金管理装置本体にスライド開閉可能に支持され、上下方向に並べて設けられた複数の収納庫１２と、複数の収納庫１２それぞれに対して設けられ、収納庫１２を閉状態で個別にロックする一方、電気信号で駆動されて個別にロックが解除されるロック機構２２と、現金管理装置本体から一の収納庫１２が引き出された状態での他の収納庫１２の引き出しを機械的に規制する複数同時引出規制機構と、複数のロック機構２２のロックを同時に機械的に解除するロック解除機構１３１とを有する。【選択図】図６
2014157586.tif 000002
【特許請求の範囲】
【請求項１】
現金を入出庫可能な現金管理装置であって、
現金管理装置本体と、
該現金管理装置本体にスライド開閉可能に支持され、上下方向に並べて設けられた複数の収納庫と、
前記複数の収納庫それぞれに対して設けられ、前記収納庫を閉状態で個別にロックする一方、電気信号で駆動されて個別にロックが解除されるロック機構と、
前記現金管理装置本体から一の前記収納庫が引き出された状態での他の前記収納庫の引き出しを機械的に規制する複数同時引出規制機構と、
複数の前記ロック機構のロックを同時に機械的に解除するロック解除機構とを有することを特徴とする現金管理装置。
【請求項２】
複数の前記ロック機構は、それぞれが、前記収納庫の前記現金管理装置本体への押し込み時に該収納庫に設けられた係合部により押圧され上下方向一側に移動して解除位置に位置し前記係合部による押圧が解除されることで上下方向逆側に移動しロック位置に位置して前記係合部をロックするロック部材と、電気信号で駆動されて前記ロック部材を前記解除位置に移動させる解除手段とを有しており、
複数の前記ロック部材が上下に並べて設けられ、
前記ロック解除機構は、着脱可能な鍵と、該鍵が装着部に装着状態で操作されることにより前記上下方向一側に移動して複数の前記ロック部材を同時に押圧して前記解除位置に移動させる昇降部材とを有することを特徴とする請求項１記載の現金管理装置。
【請求項３】
複数の前記ロック機構および前記ロック解除機構は、前記複数の収納庫に対し前記スライド開閉の方向に直交する横方向の一側に設けられており、
複数の前記収納庫のうち、最も上側の収納庫は、他の収納庫よりも前記一側の位置が内側にずれており、
前記最も上側の収納庫の前記一側に、前記ロック解除機構の前記装着部と、前記鍵が前記装着部に装着状態で操作されることにより前記上下方向一側に移動する中間部材とが設けられ、
該中間部材は、前記上下方向一側への移動時に、前記最も上側の収納庫をロックする前記ロック部材を前記上下方向一側に移動させるとともに前記昇降部材を前記上下方向一側に移動させることを特徴とする請求項２記載の現金管理装置。
【発明の詳細な説明】
【技術分野】
【０００１】
本発明は、補充用の現金の管理に用いられる現金管理装置に関する。
【背景技術】
【０００２】
金融機関の窓口業務において使用され、補充用の現金を取り出し可能に収納するとともに現金の取り出し状況等を管理可能な現金管理装置がある（例えば特許文献１参照）。
【先行技術文献】
【特許文献】
【０００３】
【特許文献１】特開２０１２−４８３６３号公報
【発明の概要】
【発明が解決しようとする課題】
【０００４】
上記した現金管理装置では、ロック部材が収納庫の係合ピンに係合することで収納庫を引き出し不可にロックする一方、ソレノイドが電気的に駆動されることでロック部材が係合ピンへの係合を解除して収納庫を引き出し可能とするようになっている。
【０００５】
このため、停電時や電装品の故障時にはソレノイドを電気的に駆動することができなくなり、収納庫を引き出すことができなくなってしまう。
【０００６】
本発明は、上記の点に鑑みなされたもので、停電時や電装品の故障時でも収納庫を引き出すことができる現金管理装置の提供を目的とする。
【課題を解決するための手段】
【０００７】
上記目的を達成するために、請求項１に係る発明は、現金を入出庫可能な現金管理装置であって、現金管理装置本体と、該現金管理装置本体にスライド開閉可能に支持され、上下方向に並べて設けられた複数の収納庫と、前記複数の収納庫それぞれに対して設けられ、前記収納庫を閉状態で個別にロックする一方、電気信号で駆動されて個別にロックが解除されるロック機構と、前記現金管理装置本体から一の前記収納庫が引き出された状態での他の前記収納庫の引き出しを機械的に規制する複数同時引出規制機構と、複数の前記ロック機構のロックを同時に機械的に解除するロック解除機構とを有することを特徴とする。
【０００８】
請求項２に係る発明は、請求項１に係る発明において、複数の前記ロック機構は、それぞれが、前記収納庫の前記現金管理装置本体への押し込み時に該収納庫に設けられた係合部により押圧され上下方向一側に移動して解除位置に位置し前記係合部による押圧が解除されることで上下方向逆側に移動しロック位置に位置して前記係合部をロックするロック部材と、電気信号で駆動されて前記ロック部材を前記解除位置に移動させる解除手段とを有しており、複数の前記ロック部材が上下に並べて設けられ、前記ロック解除機構は、着脱可能な鍵と、該鍵が装着部に装着状態で操作されることにより前記上下方向一側に移動して複数の前記ロック部材を同時に押圧して前記解除位置に移動させる昇降部材とを有することを特徴とする。
【０００９】
請求項３に係る発明は、請求項２に係る発明において、複数の前記ロック機構および前記ロック解除機構は、前記複数の収納庫に対し前記スライド開閉の方向に直交する横方向の一側に設けられており、複数の前記収納庫のうち、最も上側の収納庫は、他の収納庫よりも前記一側の位置が内側にずれており、前記最も上側の収納庫の前記一側に、前記ロック解除機構の前記装着部と、前記鍵が前記装着部に装着状態で操作されることにより前記上下方向一側に移動する中間部材とが設けられ、該中間部材は、前記上下方向一側への移動時に、前記最も上側の収納庫をロックする前記ロック部材を前記上下方向一側に移動させるとともに前記昇降部材を前記上下方向一側に移動させることを特徴とする。
【発明の効果】
【００１０】
請求項１に係る発明によれば、ロック解除機構が、複数のロック機構のロックを同時に機械的に解除することになるため、停電時や電装品の故障時でも収納庫を引き出すことができる。また、このように複数のロック機構のロックを同時に機械的に解除しても、複数同時引出規制機構が、現金管理装置本体から一の収納庫が引き出された状態での他の収納庫の引き出しを機械的に規制するため、複数の収納庫が同時に引き出されることを規制できる。
【００１１】
請求項２に係る発明によれば、複数のロック機構は、上下方向一側に移動して解除位置に位置するロック部材が上下に並べて設けられており、ロック解除機構の昇降部材が、上下方向一側に移動して複数のロック部材を同時に押圧して解除位置に移動させることになる。よって、ロック解除機構は、簡素な構造で複数のロック機構のロックを同時に解除可能となる。
【００１２】
請求項３に係る発明によれば、他の収納庫よりも一側の位置が内側にずれた最も上側の収納庫の前記一側に装着部および中間部材を設け、中間部材によって、最も上側の収納庫をロックするロック部材を上下方向一側に移動させるとともに昇降部材を上下方向一側に移動させる。よって、ロック解除機構は、簡素な構造で、しかも効率的な配置で複数のロック機構のロックを同時に解除可能となる。
【図面の簡単な説明】
【００１３】
【図１】本発明の一実施形態に係る現金管理装置を示す斜視図である。
【図２】本発明の一実施形態に係る現金管理装置の収納庫のロック機構等を示す部分斜視図である。
【図３】本発明の一実施形態に係る現金管理装置の収納庫の複数同時引出規制機構等を示す側面図である。
【図４】本発明の一実施形態に係る現金管理装置の収納庫のロック解除機構等を示す斜視図である。
【図５】本発明の一実施形態に係る現金管理装置の収納庫のロック解除機構等を示す部分拡大斜視図である。
【図６】本発明の一実施形態に係る現金管理装置の収納庫のロック解除機構等を示す斜視図である。
【図７】本発明の一実施形態に係る現金管理装置の収納庫のロック解除機構等を示す部分拡大斜視図である。
【発明を実施するための形態】
【００１４】
本発明の一実施形態に係る現金管理装置を図面を参照して以下に説明する。以下の説明において、「前」は操作者側、「後」は操作者とは反対側、「左」は操作者から見て左、「右」は操作者から見て右である。
【００１５】
本実施形態に係る現金管理装置１０は、店舗の係員側スペースに設置されて係員により取り扱われるものであり、より窓口カウンタに近い位置で現金、具体的には小束紙幣および棒金を入出庫可能に収納するものである。
【００１６】
現金管理装置１０は、箱型の現金管理装置本体１１と、この現金管理装置本体１１に上下方向に複数段具体的には８段並べて設けられた収納庫１２（ａ）〜１２（ｈ）とを有している。これら収納庫１２（ａ）〜１２（ｈ）は、それぞれの左右側壁に設けられたスライドレール１３を介して現金管理装置本体１１に支持されており、現金管理装置本体１１に対して水平前後方向にスライド開閉可能となっている。これら収納庫１２（ａ）〜１２（ｈ）は、前方に引き出され、後方に押し込まれることになり、このように前後方向にのみ所定範囲で移動可能となるように現金管理装置本体１１に連結されている。現金管理装置１０において、収納庫１２（ａ）〜１２（ｈ）のスライド開閉の方向に直交する横方向は左右方向となっている。
【００１７】
複数段の収納庫１２（ａ）〜１２（ｈ）のうち、最も上側の収納庫１２（ａ）は、予備収納庫となっており、結束されていないバラ紙幣、包装されていないバラ硬貨、汚損紙幣や汚損硬貨、金券等を収納する。また、残りの収納庫１２（ｂ）〜１２（ｈ）は、上側４段の収納庫１２（ｂ）〜１２（ｅ）が小束紙幣を収納する小束収納庫となっており、下側３段の収納庫１２（ｆ）〜１２（ｈ）が棒金を収納する棒金収納庫となっている。勿論、収納庫１２（ａ）〜１２（ｈ）の全体の数や、そのうちの小束収納庫および棒金収納庫の個々の数等は任意に設定可能であり、例えば、予備収納庫１２（ａ）以外のすべての収納庫１２（ｂ）〜（ｈ）を、小束収納庫としたり、棒金収納庫としたりすることも勿論可能である。
【００１８】
現金管理装置本体１１の上部には、操作者によって操作入力がなされるとともに操作者に対して表示を行う操作表示部１５と、データを印字により出力するプリンタ１６とが設けられている。操作表示部１５は、操作者に対して操作ガイダンス等の情報を表示する表示部１７と、操作者のＩＤカードを走査するカードリーダ１８と、操作者により操作される操作キーボード１９と、操作者に対して音声を出力する音声発生部２０とを有している。
【００１９】
現金管理装置本体１１には、複数の収納庫１２（ａ）〜１２（ｈ）のそれぞれに対して、収納庫１２（ａ）〜１２（ｈ）を閉状態で個別にロックする一方、電気信号で駆動されて個別にロックが解除される図２に示すロック機構２２が設けられている。なお、図２は部分拡大図であるため、上下２段の収納庫１２のロック機構２２のみを示しているが、すべての収納庫１２（ａ）〜１２（ｈ）にロック機構２２が設けられている。
【００２０】
図１に示すように、複数の収納庫１２（ａ）〜１２（ｈ）のそれぞれの側方に、ロック機構２２のロック解除時のみ点灯する表示灯２３が設けられている。さらに、現金管理装置本体１１には、図示は略すが、操作表示部１５、プリンタ１６、ロック機構２２および表示灯２３に接続されてこれらを制御する制御部と、収納している棒金および小束紙幣の数量情報および金種情報や処理関連のデータ等を記憶する記憶部とが設けられている。
【００２１】
図１に示すように、収納庫１２（ａ）〜１２（ｈ）は、最も上側の収納庫１２（ａ）を除くすべての収納庫１２（ｂ）〜１２（ｈ）の大きさが共通となっており、最も上側の収納庫１２（ａ）はこれらよりも左右方向の幅が狭くなっている。具体的には、最も上側の収納庫１２（ａ）は、他の収納庫１２（ｂ）〜１２（ｈ）よりも左右方向の一端、具体的には右端の位置が内側つまり左側にずれている。
【００２２】
現金管理装置本体１１には、図２に示すように、スライド開閉の方向に直交する横方向の一側である右側に、複数のロック機構２２が設けられている。ロック機構２２は、現金管理装置本体１１に押し込まれた状態の収納庫１２の前部位置の右側に設けられている。ロック機構２２は、収納庫１２の右側面から右方に突出する係合ピン（係合部）１０１に係合することでこの収納庫１２を全閉位置でロックする。ロック機構２２は、収納庫１２のそれぞれに対して、収納庫１２を閉状態で個別にロックするように設けられている。
【００２３】
すべてのロック機構２２は、それぞれが、ソレノイド（解除手段）１０２と、ソレノイド１０２の駆動で位置固定の支持軸１０３を中心に回動する鉤形のロック部材１０４とを有している。ロック部材１０４は、自重により前端の爪部１０５が下降したロック位置にあるとき爪部１０５の後側に位置する係合ピン１０１に係合して収納庫１２を現金管理装置本体１１から引き出し不可にロックする。なお、ロック部材１０４は、自重により前端の爪部１０５が下降したロック位置にあるとしたが、これに限るものではなく、図示せぬネジリバネ等により、ロック部材１０４の前端の爪部１０５が下降したロック位置にあるように付勢されるものであっても良い。
【００２４】
その一方で、ロック部材１０４は、ソレノイド１０２が電気信号で駆動されるとソレノイド１０２で後方に引かれ、支持軸１０３を中心に揺動して爪部１０５が上昇する解除位置に位置する。すると、ロック部材１０４は係合ピン１０１への係合を解除して収納庫１２を現金管理装置本体１１から引き出し可能とし開作動を許容する状態となる。
【００２５】
また、収納庫１２の引き出し後にソレノイド１０２の駆動が解除されると、ロック部材１０４は、自重により爪部１０５が下降するロック位置に戻ることになる。また、この状態で、収納庫１２が現金管理装置本体１１に押し込まれて全閉位置に戻されると、係合ピン１０１が爪部１０５を押し上げて解除位置に位置させた後に押圧を解除してロック位置に下降させることになり、爪部１０５が係合ピン１０１に係合して収納庫１２を現金管理装置本体１１から引き出し不可に自動的かつ機械的にロックする。
【００２６】
つまり、すべてのロック機構２２は、それぞれが、収納庫１２の現金管理装置本体１１への押し込み時に収納庫１２に設けられた係合ピン１０１により押圧され上下方向一側である上方に移動して解除位置に位置し係合ピン１０１による押圧が解除されることで上下方向逆側である下方に移動しロック位置に位置して係合ピン１０１をロックするロック部材１０４を有している。また、すべてのロック機構２２は、それぞれが、電気信号で駆動されてロック部材１０４を解除位置に移動させるソレノイド１０２を有している。ロック部材１０４には、支持軸１０３よりも爪部１０５側にロック解除用の解除用ピン１０６が右方に突出するように設けられている。
【００２７】
加えて、現金管理装置本体１１には、後部位置に、現金管理装置本体１１から一つの収納庫１２が引き出された状態では他のすべての収納庫１２の引き出しを機械的に規制する図３に示す複数同時引出規制機構１１０が設けられている。この複数同時引出規制機構１１０が、現金管理装置本体１１からの複数の収納庫１２の同時引き出しを規制することで現金管理装置１０の転倒を防止する。この複数同時引出規制機構１１０は、現金管理装置本体１１に上下に移動可能に支持された昇降体１１１と、収納庫１２のそれぞれの後端部に設けられた作動ピン１１２とを有している。昇降体１１１は、各収納庫１２の位置に、前下がりで傾斜する溝部１１３が形成された規制部材１１４を有している。
【００２８】
複数同時引出規制機構１１０は、一つの収納庫１２が引き出されると、その作動ピン１１２が、図３（Ａ）から図３（Ｂ）に示すように、溝部１１３を移動することで溝部１１３の傾斜により昇降体１１１を上昇位置まで上昇させる。この状態では、図３（Ｂ）に示すように、他の収納庫１２の作動ピン１１２の前方に、規制部材１１４が溝部１１３の後端を作動ピン１１２よりも上昇させた状態で配置されることになり、これにより、規制部材１１４が作動ピン１１２に当接して収納庫１２の引き出しを規制する。なお、複数同時引出規制機構１１０が設けられていることにより、複数の収納庫１２を引き出す必要がある場合に複数のソレノイド１０２を同時に駆動することができる。よって、一つの収納庫１２のソレノイド１０２を駆動しこの収納庫１２が閉じられた後に、次の収納庫１２のソレノイド１０２を駆動するといった面倒な制御が不要となる。
【００２９】
昇降体１１１の上方には昇降体１１１を上昇位置に保持する保持機構１２０が設けられている。この保持機構１２０は、昇降体１１１の上方に位置固定で設けられた保持機構本体１２１と、昇降体１１１の上端部に取り付けられた被保持部材１２２とからなっている。保持機構本体１２１は、ベース１２４と、ベース１２４の回転軸１２５を中心に回転可能であって回転軸１２５から下方に延出する一対のアーム１２６，１２６と、アーム１２６，１２６の下端に設けられたローラ１２７，１２７とを有している、一対のアーム１２６，１２６は、ベース１２４内に設けられた図示略のバネで一対のローラ１２７，１２７を近接させる方向に付勢されている。被保持部材１２２は、上端に側方に膨出する膨出部１２８が設けられた形状をなしている。そして、上記したように作動ピン１１２が溝部１１３を移動することで昇降体１１１が上昇すると、その上部に固定された被保持部材１２２の膨出部１２８がローラ１２７，１２７間を押し広げながらローラ１２７，１２７よりも上側に位置する。膨出部１２８がローラ１２７，１２７間を越えると、ローラ１２７，１２７が近接して膨出部１２８を係止する状態となり、昇降体１１１を上昇位置に保持する。
【００３０】
昇降体１１１は、上記した保持機構１２０により下降が規制されるようになっており、図３（Ｂ）から図３（Ａ）に示すように、引き出されていた収納庫１２が戻されると、その作動ピン１１２が溝部１１３を移動することで溝部１１３の傾斜により昇降体１１１を下降させる。これにより、被保持部材１２２の膨出部１２８がローラ１２７，１２７間を押し広げながらローラ１２７，１２７よりも下側に位置して保持機構１２０による昇降体１１１の保持が解除される。昇降体１１１が下降した状態では、図３（Ａ）に示すように、すべて収納庫１２の作動ピン１１２の前方に、規制部材１１４が溝部１１３の後端を作動ピン１１２と高さを合わせた状態で配置されることになり、これにより、規制部材１１４が作動ピン１１２を溝部１１３に挿入させることが可能となり、すべての収納庫１２について択一的な引き出しを許容する状態となる。
【００３１】
そして、本実施形態において、図４に示すように、複数のロック機構２２のロックを同時に機械的に解除するロック解除機構１３１が、複数の収納庫１２（ａ）〜１２（ｈ）の右側に設けられている。なお、図１に示す収納庫１２（ａ）は、図４に示すロック機構２２（ａ）のロック部材１０４（ａ）でロックされ、同様に、収納庫１２（ｂ）はロック機構２２（ｂ）のロック部材１０４（ｂ）で、収納庫１２（ｃ）はロック機構２２（ｃ）のロック部材１０４（ｃ）で、収納庫１２（ｄ）はロック機構２２（ｄ）のロック部材１０４（ｄ）で、収納庫１２（ｅ）はロック機構２２（ｅ）のロック部材１０４（ｅ）で、収納庫１２（ｆ）はロック機構２２（ｆ）のロック部材１０４（ｆ）で、収納庫１２（ｇ）はロック機構２２（ｇ）のロック部材１０４（ｇ）で、収納庫１２（ｈ）はロック機構２２（ｈ）のロック部材１０４（ｈ）で、それぞれロックされる。
【００３２】
すべてのロック機構２２（ａ）〜２２（ｈ）は、ロック部材１０４（ａ）〜１０４（ｈ）が上下に並べて設けられており、最も上側のロック機構２２（ａ）を除く他のすべてのロック機構２２（ｂ）〜２２（ｈ）は、ロック部材１０４（ｂ）〜１０４（ｈ）が水平方向（前後左右）の位置を一致させて設けられている。図１に示すように、すべての収納庫１２（ａ）〜１２（ｈ）のうち、最も上側の収納庫１２（ａ）は、他の収納庫１２（ｂ）〜１２（ｈ）よりも右端の位置が左側にずれており、よって、図４に示すように、最も上側のロック機構２２（ａ）も、他のロック機構２２（ｂ）〜（ｈ）よりも左側にずれて配置されている。
【００３３】
ロック解除機構１３１は、着脱可能な鍵１３２と、図１に示すように最も上側の収納庫１２（ａ）の右側にあって鍵１３２が装着される装着部１３３とを有している。装着部１３３は適合する鍵１３２が装着されると回動可能なシリンダ錠である。また、図４および図５に示すように、ロック解除機構１３１は、装着部１３３の後方に中間部材１３５を有している。よって、この中間部材１３５も最も上側の収納庫１２（ａ）の右側に配置されている。中間部材１３５は、位置固定で左右方向に設けられた支持軸１３６を中心に揺動可能であり、前部が装着部１３３に係合している。鍵１３２が装着部１３３に装着されて回動操作されると、図６および図７に示すように装着部１３３は中間部材１３５の前部を押し下げる。これにより、中間部材１３５は支持軸１３６を中心に揺動して後部が上昇する。中間部材１３５の後部には、左側に、ロック機構２２（ａ）のロック部材１０４（ａ）の解除用ピン１０６（ａ）を上下方向一側である上側に押圧する押圧部１３７が設けられており、右側に、右方に突出する引上ピン１３８が設けられている。中間部材１３５は、鍵１３２が装着部１３３に装着状態で操作されることにより、後部の押圧部１３７および引上ピン１３８が、上下方向一側である上側に移動する。中間部材１３５の押圧部１３７は、この上側への移動時に、最も上側のロック機構２２（ａ）のロック部材１０４（ａ）の解除用ピン１０６（ａ）を押圧して、このロック部材１０４（ａ）を直接上側に解除位置まで移動させる。
【００３４】
ロック解除機構１３１は、中間部材１３５の引上ピン１３８に係合する、上下に昇降可能な昇降部材１４１を有している。この昇降部材１４１には上端部に引上穴１４２が形成されており、この引上穴１４２に引上ピン１３８が挿入されている。また、昇降部材１４１には、引上穴１４２よりも下側にロック機構２２（ｂ）〜２２（ｈ）のそれぞれのロック部材１０４（ｂ）〜１０４（ｈ）の解除用ピン１０６（ｂ）〜１０６（ｈ）が個別に挿入される持上穴１４４（ｂ）〜１４４（ｈ）が形成されている。つまり、ロック部材１０４（ｂ）の解除用ピン１０６（ｂ）が持上穴１４４（ｂ）に、ロック部材１０４（ｃ）の解除用ピン１０６（ｃ）が持上穴１４４（ｃ）に、ロック部材１０４（ｄ）の解除用ピン１０６（ｄ）が持上穴１４４（ｄ）に、ロック部材１０４（ｅ）の解除用ピン１０６（ｅ）が持上穴１４４（ｅ）に、ロック部材１０４（ｆ）の解除用ピン１０６（ｆ）が持上穴１４４（ｆ）に、ロック部材１０４（ｇ）の解除用ピン１０６（ｇ）が持上穴１４４（ｇ）に、ロック部材１０４（ｈ）の解除用ピン１０６（ｈ）が持上穴１４４（ｈ）に、それぞれ挿入されている。
【００３５】
これにより、鍵１３２が装着部１３３に装着されて回動操作され、中間部材１３５が支持軸１３６を中心に揺動して後部が上昇すると、後部に設けられた引上ピン１３８が引上穴１４２の上縁部に当接して昇降部材１４１を上方に押圧して上方に移動させることになり、これにより、すべての持上穴１４４（ｂ）〜１４４（ｈ）が下縁部においてすべてのロック部材１０４（ｂ）〜１０４（ｈ）の解除用ピン１０６（ｂ）〜１０６（ｈ）を上下方向一側である上方に押圧してロック部材１０４（ｂ）〜１０４（ｈ）を解除位置まで移動させる。
【００３６】
以上により、中間部材１３５は、後部の上下方向一側である上側への移動時に、最も上側の収納庫１２（ａ）をロックするロック部材１０４（ａ）を直接上側にに移動させるとともに昇降部材１４１をも上側に移動させる。昇降部材１４１は、鍵１３２が装着部１３３に装着状態で操作されることにより上下方向一側である上側に移動して複数のロック部材１０４（ｂ）〜１０４（ｈ）を同時に押圧して解除位置に移動させる。
【００３７】
上記のように、ロック解除機構１３１は、鍵１３２が装着部１３３に装着状態で操作されることにより、ロック部材１０４（ａ）〜１０４（ｈ）を解除位置まで移動させることになるため、すべての収納庫１２（ａ）〜１２（ｈ）が現金管理装置本体１１から引き出し可能な状態となる。これにより、停電状態や電装品が故障状態にあっても、すべての収納庫１２（ａ）〜１２（ｈ）が現金管理装置本体１１から引き出し可能な状態となる。ただし、収納庫１２（ａ）〜１２（ｈ）のうちの一つが引き出されると、複数同時引出規制機構１１０によって、他の収納庫は引き出しが規制されるため、停電状態や電装品が故障状態にあっても、収納庫１２（ａ）〜１２（ｈ）のうちの複数のものが同時に引き出されることはない。
【００３８】
以上に述べた本実施形態に係る現金管理装置１０によれば、ロック解除機構１３１が、複数のロック機構２２（ａ）〜２２（ｈ）のロックを同時に機械的に解除することになるため、停電時や電装品の故障時であっても収納庫１２（ａ）〜１２（ｈ）を引き出すことができる。また、このように複数のロック機構２２（ａ）〜２２（ｈ）のロックを同時に機械的に解除しても、複数同時引出規制機構１１０が、現金管理装置本体１１から収納庫１２（ａ）〜１２（ｈ）のうちの一つが引き出された状態での他の収納庫の引き出しを機械的に規制するため、収納庫１２（ａ）〜１２（ｈ）のうちの複数の収納庫が同時に引き出されることを規制できる。
【００３９】
複数のロック機構２２（ｂ）〜２２（ｈ）は、上側に移動して解除位置に位置するロック部材１０４（ｂ）〜１０４（ｈ）が上下に並べて設けられており、ロック解除機構１３１の昇降部材１４１が、上側に移動して複数のロック部材１０４（ｂ）〜１０４（ｈ）を同時に押圧して解除位置に移動させることになる。よって、ロック解除機構１３１は、簡素な構造で複数のロック機構２２（ｂ）〜２２（ｈ）のロックを同時に解除可能となる。
【００４０】
他の収納庫１２（ｂ）〜１２（ｈ）よりも一側の位置が内側にずれた最も上側の収納庫１２（ａ）の一側に装着部１３３および中間部材１３５を設け、中間部材１３５によって、最も上側の収納庫１２（ａ）をロックするロック部材１０４（ａ）を直接上側に移動させるとともに昇降部材１４１を直接上側に移動させる。よって、ロック解除機構１３１は、簡素な構造で、しかも効率的な配置で複数のロック機構２２（ａ）〜２２（ｈ）のロックを同時に解除可能となる。
【００４１】
ここで、すべての収納庫１２（ａ）〜１２（ｈ）を同じ大きさとし、すべてのロック部材１０４（ａ）〜１０４（ｈ）の水平方向位置を揃えて、昇降部材１４１ですべての解除用ピン１０６（ａ）〜１０６（ｈ）を引き上げるようにしても良い。この場合、中間部材をなくして、鍵１３２が装着部１３３に装着されて回動操作されると、装着部１３３が昇降部材１４１を直接上昇させるようにすることが可能となる。
【００４２】
なお、ロック部材を、例えばバネで上向きに付勢しておき、収納庫の現金管理装置本体への押し込み時に収納庫に設けられた係合ピンにより押圧されて下側に移動して解除位置に位置し係合ピンによる押圧が解除されることで上側に移動してロック位置に位置して係合ピンをロックするようにしても良い。この場合、中間部材１３５は、鍵１３２が装着部１３３に装着状態で操作されることにより後部が下側に移動して昇降部材１４１を下側に移動させることになり、昇降部材１４１は、下側に移動して複数のロック部材を同時に押し下げて解除位置に移動させることになる。
【符号の説明】
【００４３】
１０  現金管理装置
１１  現金管理装置本体
１２（ａ）〜１２（ｈ）  収納庫
２２（ａ）〜２２（ｈ）  ロック機構
１０１  係合ピン（係合部）
１０２  ソレノイド（解除手段）
１０４（ａ）〜１０４（ｈ）  ロック部材
１１０  複数同時引出規制機構
１３１  ロック解除機構
１３２  鍵
１３３  装着部
１３５  中間部材
１４１  昇降部材
【図１】
2014157586.tif 000003
【図２】
2014157586.tif 000004
【図３】
2014157586.tif 000005
【図４】
2014157586.tif 000006
【図５】
2014157586.tif 000007
【図６】
2014157586.tif 000008
【図７】
2014157586.tif 000009